(57)【特許請求の範囲】
【請求項１】
エレベータのかごの天井の上面に設けられた空調機と、
前記かごの天井の上面に設けられた吸込口用ダクトボックスと、
前記かごの天井の上面に設けられた吹出口用ダクトボックスと、
前記空調機の吹出口と前記吹出口用ダクトボックスとに連結された吹出口用ダクトと、
前記空調機の吸込口の径よりも小さい径で形成され、一側において前記吸込口用ダクトボックスに連結された複数の吸込口用ダクトと、
前記空調機の吸込口と前記複数の吸込口用ダクトの各々の他側とを連結したアタッチメントと、
を備えたエレベータの空調装置。
【請求項２】
エレベータのかごの天井の上面に設けられた空調機と、
前記かごの天井の上面に設けられた吸込口用ダクトボックスと、
前記かごの天井の上面に設けられた吹出口用ダクトボックスと、
前記空調機の吸込口と前記吸込口用ダクトボックスとに連結された吸込口用ダクトと、
前記空調機の吹出口の径よりも小さい径で形成され、一側において前記吹出口用ダクトボックスに連結された複数の吹出口用ダクトと、
前記空調機の吹出口と前記複数の吹出口用ダクトの各々の他側とを連結したアタッチメントと、
を備えたエレベータの空調装置。
【発明の詳細な説明】
【技術分野】
【０００１】
この発明は、エレベータの空調装置に関する。
【背景技術】
【０００２】
特許文献１は、エレベータの空調装置を開示する。空調装置は、空調機と吸込口用ダクトボックスと吹出口用ダクトボックスと吸込口用ダクトと吹出口用ダクトとを備える。
【先行技術文献】
【特許文献】
【０００３】
【特許文献１】特開２００６−１７６３２６号公報
【発明の概要】
【発明が解決しようとする課題】
【０００４】
吸込口用ダクトまたは吹出口用ダクトにおいて、許容される曲げ径の大きさは、吸込口用ダクトまたは吹出口用ダクトの径の大きさに比例して設定される。このため、かごの天井の上方において吸込口用ダクトまたは吹出口用ダクトの経路を確保することが困難となる場合がある。
【０００５】
この発明は、上述の課題を解決するためになされた。この発明の目的は、エレベータのかごの天井の上方において吸込口用ダクトまたは吹出口用ダクトの経路を確保することができるエレベータの空調装置を提供することである。
【課題を解決するための手段】
【０００７】
この発明に係るエレベータの空調装置は、エレベータのかごの天井の上面に設けられた空調機と、前記かごの天井の上面に設けられた吸込口用ダクトボックスと、前記かごの天井の上面に設けられた吹出口用ダクトボックスと、前記空調機の吹出口と前記吹出口用ダクトボックスとに連結された吹出口用ダクトと、前記空調機の吸込口の径よりも小さい径で形成され、一側において前記吸込口用ダクトボックスに連結された複数の吸込口用ダクトと、前記空調機の吸込口と前記複数の吸込口用ダクトの各々の他側とを連結したアタッチメントと、を備えた。
【０００８】
この発明に係るエレベータの空調装置は、エレベータのかごの天井の上面に設けられた空調機と、前記かごの天井の上面に設けられた吸込口用ダクトボックスと、前記かごの天井の上面に設けられた吹出口用ダクトボックスと、前記空調機の吸込口と前記吸込口用ダクトボックスとに連結された吸込口用ダクトと、前記空調機の吹出口の径よりも小さい径で形成され、一側において前記吹出口用ダクトボックスに連結された複数の吹出口用ダクトと、前記空調機の吹出口と前記複数の吹出口用ダクトの各々の他側とを連結したアタッチメントと、を備えた。
【発明の効果】
【０００９】
これらの発明によれば、吸込口用ダクトまたは吹出口用ダクトは、空調機の吸込口または吹出口よりも小さい径で形成される。吸込口用ダクトまたは吹出口用ダクトは、アタッチメントを用いて空調機の吸込口または吹出口に連結される。このため、エレベータのかごの天井の上方において吸込口用ダクトまたは吹出口用ダクトの経路を確保することができる。
【図面の簡単な説明】
【００１０】
【図１】この発明の実施の形態１におけるエレベータの空調装置が適用されたエレベータの構成図である。
【図２】この発明の実施の形態１におけるエレベータの空調装置の正面図である。
【図３】この発明の実施の形態１におけるエレベータの空調装置の平面図である。
【図４】この発明の実施の形態１におけるエレベータの空調装置用アタッチメントの側面図である。
【図５】この発明の実施の形態１におけるエレベータの空調装置用アタッチメントの斜視図である。
【図６】この発明の実施の形態２におけるエレベータの空調装置用アタッチメントの側面図である。
【図７】この発明の実施の形態３におけるエレベータの空調装置用アタッチメントの側面図である。
【図８】この発明の実施の形態４におけるエレベータの空調装置用アタッチメントの斜視図である。
【発明を実施するための形態】
【００１１】
この発明を実施するための形態について添付の図面に従って説明する。なお、各図中、同一又は相当する部分には同一の符号が付される。当該部分の重複説明は適宜に簡略化ないし省略される。
【００１２】
実施の形態１．
図１はこの発明の実施の形態１におけるエレベータの空調装置が適用されたエレベータの構成図である。
【００１３】
図１において、エレベータの昇降路１は、建築物の各階を貫く。エレベータの複数の乗場２の各々は、建築物の各々に設けられる。複数の乗場２の各々は、昇降路１に対向する。エレベータのかご３は、昇降路１の内部に設けられる。空調装置４は、かご３の天井の上面に設けられる。
【００１４】
例えば、利用者は、１階の乗場２からかご３に乗り込む。その後、かご３は、４階の乗場２まで移動する。その後、利用者は、４階の乗場２でかご３から降りる。
【００１５】
空調装置４は、かご３の内部の空気を吸い込む。空調装置４は、吸い込んだ空気を冷やしたり暖めたりする。空調装置４は、冷やしたり暖めたりした空気をかご３の内部へ吹き出す。その結果、かご３の内部の空気は、快適な温度に保たれる。
【００１６】
次に、図２と図３とを用いて、空調装置４を説明する。
図２はこの発明の実施の形態１におけるエレベータの空調装置の正面図である。図３はこの発明の実施の形態１におけるエレベータの空調装置の平面図である。
【００１７】
空調装置４は、空調機５と吸込口用ダクトボックス６と吹出口用ダクトボックス７と複数の吸込口用ダクト８と複数の吹出口用ダクト９と吸込口用アタッチメント１０と吹出口用アタッチメント１１とを備える。
【００１８】
例えば、空調機５は、かご３の天井の上面においてかご３の奥側に設けられる。空調機５は、吸込口５ａと吹出口５ｂとを備える。例えば、吸込口用ダクトボックス６は、かご３の天井の上面においてかご３の一側かつ手前側に設けられる。例えば、吹出口用ダクトボックス７は、かご３の天井の上面においてかご３の他側かつ手前側に設けられる。
【００１９】
複数の吸込口用ダクト８の各々の一側は、吸込口用ダクトボックス６に連結される。複数の吸込口用ダクト８の各々の他側は、空調機５の吸込口５ａの側に配置される。複数の吹出口用ダクト９の各々の一側は、吹出口用ダクトボックス７に連結される。複数の吹出口用ダクト９の各々の他側は、空調機５の吹出口５ｂの側に配置される。
【００２０】
吸込口用アタッチメント１０は、空調装置用アタッチメントとして空調機５の吸込口５ａと複数の吸込口用ダクト８とを連結する。
【００２１】
吹出口用アタッチメント１１は、空調装置用アタッチメントとして空調機５の吹出口５ｂと複数の吹出口用ダクト９とを連結する。
【００２２】
空調機５が動作すると、かご３の内部の空気は、吸込口用ダクトボックス６に吸い込まれる。その後、当該空気は、吸込口用ダクトボックス６の内部を経由して複数の吸込口用ダクト８に到達する。当該空気は、複数の吸込口用ダクト８の各々の内部を経由して吸込口用アタッチメント１０に到達する。その後、当該空気は、吸込口用アタッチメント１０の内部を経由して空調機５の吸込口５ａに到達する。その後、当該空気は、空調機５の内部に通過する。この際、当該空気は、空調機５に温められたり冷やされたりする。
【００２３】
その後、当該空気は、空調機５の吹出口５ｂに到達する。その後、当該空気は、吹出口用アタッチメント１１に到達する。その後、当該空気は、吹出口用アタッチメント１１の内部を経由して複数の吹出口用ダクト９に到達する。その後、当該空気は、複数の吹出口用ダクト９の各々の内部を経由して吹出口用ダクトボックス７に到達する。その後、当該空気は、吹出口用ダクトボックス７の内部を経由してかご３の内部へ吹き出される。
【００２４】
次に、図４を用いて、吸込口用アタッチメント１０と吹出口用アタッチメント１１とを説明する。
図４はこの発明の実施の形態１におけるエレベータの空調装置用アタッチメントの側面図である。
【００２５】
図４の左側に示すように、吸込口用アタッチメント１０は、流路部１０ａと第１連結部１０ｂと複数の第２連結部１０ｃとを備える。
【００２６】
流路部１０ａは、流路を有する。第１連結部１０ｂは、流路部１０ａの一端部に形成される。第１連結部１０ｂは、空調機５の吸込口５ａの径に合わせた径で形成される。第１連結部１０ｂは、空調機５の吸込口５ａに連結される。第２連結部１０ｃの数は、第１連結部１０ｂの数より多い。複数の第２連結部１０ｃの各々は、流路部１０ａの他端部に形成される。複数の第２連結部１０ｃの各々は、第１連結部１０ｂの径よりも小さい径で形成される。複数の第２連結部１０ｃの各々は、吸込口用ダクト８の径に合わせた径で形成される。複数の第２連結部１０ｃの各々は、流路部１０ａの流路を介して第１連結部１０ｂと連結される。複数の第２連結部１０ｃの各々は、複数の吸込口用ダクト８の各々の他側に連結される。
【００２７】
第１連結部１０ｂの外周部は、ねじ状になっている。図示しないが、空調機５の吸込口５ａの内周部は、第１連結部１０ｂのねじに合わせてねじ状になっている。第１連結部１０ｂは、空調機５の吸込口５ａにねじ込まれる。
【００２８】
図４の右側に示すように、吹出口用アタッチメント１１は、流路部１１ａと第１連結部１１ｂと複数の第２連結部１１ｃとを備える。
【００２９】
流路部１１ａは、流路を有する。第１連結部１１ｂは、流路部１１ａの一端部に形成される。第１連結部１１ｂは、空調機５の吹出口５ｂの径に合わせた径で形成される。第１連結部１１ｂは、空調機５の吹出口５ｂに連結される。第２連結部１１ｃの数は、第１連結部１１ｂの数より多い。複数の第２連結部１１ｃの各々は、流路部１１ａの他端部に形成される。複数の第２連結部１１ｃの各々は、第１連結部１１ｂの径よりも小さい径で形成される。複数の第２連結部１１ｃの各々は、吹出口用ダクト９の径に合わせた径で形成される。複数の第２連結部１１ｃの各々は、流路部１１ａの流路を介して第１連結部１１ｂと連結される。複数の第２連結部１１ｃの各々は、複数の吹出口用ダクト９の各々の他側に連結される。
【００３０】
第１連結部１１ｂの外周部は、ねじ状になっている。図示しないが、空調機５の吹出口５ｂの内周部は、第１連結部１１ｂのねじに合わせてねじ状になっている。第１連結部１１ｂは、空調機５の吸込口５ａにねじ込まれる。
【００３１】
次に、図５を用いて、複数の第２連結部１０ｃと複数の第２連結部１１ｃとを説明する。
図５はこの発明の実施の形態１におけるエレベータの空調装置用アタッチメントの斜視図である。
【００３２】
図５の左側に示すように、吸込口用アタッチメント１０において、複数の第２連結部１０ｃは、流路部１０ａの他端面において同心円状に形成される。
【００３３】
例えば、複数の第２連結部１０ｃの内径面積を合計した値は、空調機５の吸込口５ａの内径面積の値以上に設定される。その結果、空調機５に吸い込まれる空気の量は確保される。
【００３４】
図５の右側に示すように、吹出口用アタッチメント１１において、複数の第２連結部１１ｃは、流路部１１ａの他端面において同心円状に形成される。
【００３５】
例えば、複数の第２連結部１１ｃの内径面積を合計した値は、空調機５の吹出口５ｂの内径面積の値以上に設定される。その結果、空調機５から吐き出される空気の量は確保される。
【００３６】
以上で説明した実施の形態１によれば、吸込口用ダクト８は、空調機５の吸込口５ａよりも小さい径で形成される。吸込口用ダクト８は、吸込口用アタッチメント１０を用いて空調機５の吸込口５ａに連結される。このため、エレベータのかご３の天井の上方において吸込口用ダクト８の経路を少ない領域で確保することができる。その結果、かご３の天井において保守作業を行う領域を確保することができる。
【００３７】
また、吹出口用ダクト９は、空調機５の吹出口５ｂよりも小さい径で形成される。吹出口用ダクト９は、吹出口用アタッチメント１１を用いて空調機５の吹出口５ｂに連結される。このため、エレベータのかご３の天井の上方において吹出口用ダクト９の経路を少ない領域で確保することができる。その結果、かご３の天井において保守作業を行う領域を確保することができる。
【００３８】
また、吸込口用アタッチメント１０において、第１連結部１０ｂは、空調機５の吸込口５ａにねじ込まれる。このため、特殊な工具を用いずに吸込口用アタッチメント１０を固定することができる。
【００３９】
また、吹出口用アタッチメント１１において、第１連結部１１ｂは、空調機５の吹出口５ｂにねじ込まれる。このため、特殊な工具を用いずに吹出口用アタッチメント１１を固定することができる。
【００４０】
また、吸込口用アタッチメント１０において、第１連結部１０ｂは、流路部１０ａの一端部に形成される。複数の第２連結部１０ｃの各々は、流路部１０ａの他端部に形成される。このため、吸込口用アタッチメント１０において空気が流れる際の抵抗を小さくすることができる。
【００４１】
また、吹出口用アタッチメント１１において、第１連結部１１ｂは、流路部１１ａの一端部に形成される。複数の第２連結部１１ｃの各々は、流路部１１ａの他端部に形成される。このため、吹出口用アタッチメント１１において空気が流れる際の抵抗を小さくすることができる。
【００４２】
実施の形態２．
図６はこの発明の実施の形態２におけるエレベータの空調装置用アタッチメントの側面図である。なお、実施の形態１と同一又は相当部分には、同一符号が付される。当該部分の説明は省略される。
【００４３】
実施の形態１の吸込口用アタッチメント１０の第１連結部１０ｂは、空調機５の吸込口５ａにねじ込まれる。これに対し、実施の形態２の吸込口用アタッチメント１０の第１連結部１０ｂは、空調機５の吸込口５ａに複数のボルト１２により固定される。
【００４４】
実施の形態１の吹出口用アタッチメント１１の第１連結部１１ｂは、空調機５の吹出口５ｂにねじ込まれる。これに対し、実施の形態２の吹出口用アタッチメント１１の第１連結部１１ｂは、空調機５の吹出口５ｂに複数のボルト１２により固定される。
【００４５】
以上で説明した実施の形態２によれば、吸込口用アタッチメント１０において、第１連結部１０ｂは、空調機５の吸込口５ａにボルト１２により固定される。このため、複数の第２連結部１０ｃの位置を調整した上で吸込口用アタッチメント１０を固定することができる。
【００４６】
また、吹出口用アタッチメント１１において、第１連結部１１ｂは、空調機５の吹出口５ｂにボルト１２により固定される。このため、複数の第２連結部１１ｃの位置を調整した上で吹出口用アタッチメント１１を固定することができる。
【００４７】
実施の形態３．
図７はこの発明の実施の形態３におけるエレベータの空調装置用アタッチメントの側面図である。なお、実施の形態１と同一又は相当部分には、同一符号が付される。当該部分の説明は省略される。
【００４８】
実施の形態１の吸込口用アタッチメント１０の第１連結部１０ｂは、空調機５の吸込口５ａにねじ込まれる。これに対し、実施の形態２の吸込口用アタッチメント１０の第１連結部１０ｂは、空調機５の吸込口５ａに接着剤または接着テープにより固定される。
【００４９】
実施の形態１の吹出口用アタッチメント１１の第１連結部１１ｂは、空調機５の吹出口５ｂにねじ込まれる。これに対し、実施の形態２の吹出口用アタッチメント１１の第１連結部１１ｂは、空調機５の吹出口５ｂに接着剤または接着テープにより固定される。
【００５０】
以上で説明した実施の形態３によれば、吸込口用アタッチメント１０において、第１連結部１０ｂは、空調機５の吸込口５ａに接着される。このため、複数の第２連結部１０ｃの位置を調整した上で吸込口用アタッチメント１０を固定することができる。
【００５１】
また、吹出口用アタッチメント１１において、第１連結部１１ｂは、空調機５の吹出口５ｂに接着される。このため、複数の第２連結部１１ｃの位置を調整した上で吹出口用アタッチメント１１を固定することができる。
【００５２】
実施の形態４．
図８はこの発明の実施の形態４におけるエレベータの空調装置用アタッチメントの斜視図である。なお、実施の形態１と同一又は相当部分には、同一符号が付される。当該部分の説明は省略される。
【００５３】
実施の形態１の吸込口用アタッチメント１０の複数の第２連結部１０ｃは、流路部１０ａの他端面において同心円状に形成される。これに対し、実施の形態３の吸込口用アタッチメント１０の複数の第２連結部１０ｃは、流路部１０ａの側部に形成される。例えば、実施の形態３の吸込口用アタッチメント１０の複数の第２連結部１０ｃは、流路部１０ａの側部に等間隔で形成される。
【００５４】
実施の形態１の吹出口用アタッチメント１１の複数の第２連結部１１ｃは、流路部１１ａの他端面において同心円状に形成される。これに対し、実施の形態３の吹出口用アタッチメント１１の複数の第２連結部１１ｃは、流路部１１ａの側部に形成される。例えば、実施の形態３の吹出口用アタッチメント１１の複数の第２連結部１１ｃは、流路部１１ａの側部に等間隔で形成される。
【００５５】
以上で説明した実施の形態４によれば、吸込口用アタッチメント１０において、複数の第２連結部１０ｃは、流路部１０ａの側部に形成される。このため、吸込口用アタッチメント１０により直角に曲がる流路を容易に形成することができる。その結果、吸込口用ダクト８の経路を容易に確保することができる。
【００５６】
また、吹出口用アタッチメント１１において、複数の第２連結部１１ｃは、流路部１１ａの側部に形成される。このため、吹出口用アタッチメント１１により直角に曲がる流路を容易に形成することができる。その結果、吹出口用ダクト９の経路を容易に確保することができる。
【００５７】
なお、吸込口用アタッチメント１０において、流路部１０ａの他端部と側部とに複数の第２連結部１０ｃを形成してもよい。この場合、吸込口用ダクト８に対して様々な経路を確保することができる。
【００５８】
また、吹出口用アタッチメント１１において、流路部１１ａの他端部と側部とに複数の第２連結部１１ｃを形成してもよい。この場合、吹出口用ダクト９に対して様々な経路を確保することができる。
【符号の説明】
【００５９】
１  昇降路、  ２  乗場、  ３  かご、  ４  空調装置、  ５  空調機、  ５ａ  吸込口、  ５ｂ  吹出口、  ６  吸込口用ダクトボックス、  ７  吹出口用ダクトボックス、  ８  吸込口用ダクト、  ９  吹出口用ダクト、  １０  吸込口用アタッチメント、  １０ａ  流路部、  １０ｂ  第１連結部、  １０ｃ  第２連結部、  １１  吹出口用アタッチメント、  １１ａ  流路部、  １１ｂ  第１連結部、  １１ｃ  第２連結部、  １２  ボルト
【図１】
0006540537.tif 000002
【図２】
0006540537.tif 000003
【図３】
0006540537.tif 000004
【図４】
0006540537.tif 000005
【図５】
0006540537.tif 000006
【図６】
0006540537.tif 000007
【図７】
0006540537.tif 000008
【図８】
0006540537.tif 000009